【事件の表示】
　平成　４年特許願第１２０２９２号「遊技機」拒絶査定不服審判事件〔平成　５年１１月２２日出願公開、特開平　５−３０９１６７〕について、次のとおり審決する。
【結　論】
　本件審判の請求は、成り立たない。
【理　由】
１． 手続きの経緯、本願発明
　本願は、平成４年５月１３日の出願であって、平成１３年３月３０日付けで拒絶査定がなされ、これに対し、同年５月１０日に拒絶査定に対する審判請求がなされるとともに、平成１３年６月８日付けで手続補正書が提出されたが、当該手続補正書は平成１３年９月１７日付けの補正の却下の決定により却下され、当該却下に対して不服が申し立てられていないため、当該補正はないものとなった。それゆえ、その請求項１に係る発明は、平成１３年２月１９日付け及び平成１６年５月１３日付けの手続補正書により補正された明細書及び図面の記載からみて、次のとおりと認める。
　
　【請求項１】　回動可能に設けられた第１の球受部材および第２の球受部材と、
　前記第１の球受部材および前記第２の球受部材にパチンコ球を供給する第１の球供給通路および第２の球供給通路と、
　前記第１の球受部材および前記第２の球受部材に設けられ、前記第１の球供給通路および前記第２の球供給通路から供給されるパチンコ球を受ける複数の球受凹部と、
　前記第１の球受部材および前記第２の球受部材を位相のずれ状態で回動操作することに基づいて前記第１の球受部材の球受凹部内および前記第２の球受部材の球受凹部内からパチンコ球を排出する駆動手段と、
　前記第１の球受部材に設けられた複数の鉄片と、
　前記複数の鉄片を検出する反射形光センサとを備え、
　前記第１の球供給通路および前記第２の球供給通路は、出口の幅方向の中心線が略鉛直方向に延びるように設けられ、
　前記第１の球受部材および前記第２の球受部材は、回動中心線に直交する交差線が第１の球供給通路および第２の球供給通路の中心線に略一致するように設けられていることを特徴とする遊技機。（以下、「本願発明」という。）
　
２．　引用例
　当審は、平成１６年３月１２日付け拒絶理由通知で、本願の特許請求の範囲に記載の発明は、刊行物である下記の引用例１及び引用例２に記載の発明に基づいて当業者が容易に発明をすることができたものであるから、特許法第２９条第２項の規定により特許を受けることができない旨通知した。
　
　引用例１：実願平１−１４１１５６号（実開平３−８０７７７号）のマイクロフィルム
　引用例２：特開平２−２４９５７０号公報
　
２−１．引用例に記載された発明
（１）引用例１［実願平１−１４１１５６号（実開平３−８０７７７号）のマイクロフィルム］には、図面とともに、次の事項が記載されている。
「賞球ケース内に形成された賞球通路の途中にはパルス信号によって回転制御される払出しモータの出力軸に取付けられた回転体を設置し、この回転体には、賞球を１個づつ受取って放出するために前記出力軸の回りに回転対称状に配列された複数個の球受け部を形成したことを特徴とする遊技機における賞球払出し装置。」（実用新案登録請求の範囲）
「賞球ケース１内には１対の通路壁４，４間に形成されて中間隔壁２で仕切られた左右１対の賞球通路３が賞球を収容および通過させるために形成されている。」（第４頁第１−４行）
「賞球ケース１の中央部付近の一側面にはパチンコ機の中央指令装置が所定の払出し球数に合わせて発信するパルス信号によってＰ方向へ回転制御されるパルスモータ型の払出しモータ９が取着され、この払出しモータ９の出力軸９ａは固体潤滑材軸受１５によって回転可能に支持されて賞球放出部３ｃ内へ突入されている。払出しモータ９の出力軸９ａには正六角形状の外周面を有する軸固定板１０が嵌着されるとともに、払出しモ一タ９の出力軸９ａには両賞球給送路３ｂ内から賞球Ｂを１個づつ受取って順次放出するために両賞球放出部３ｃ内に設置された回転体１１が軸固定板１０を介して位置決めされた状態で共転可能に取付けられ、この回転体１１に貫設された正六角形状の嵌合孔には軸固定板１０が嵌合されている。回転体１１の左部および右部には回転体１１の回転動作によって賞球Ｂを賞球給送路３ｂ側で受取って持上げ、送出路３ｄ側で順次放出するためにそれぞれ凹設されて払出しモータ９の出力軸９ａの回りに６０°の回転対称状に配列された各６個の球受け部１３〜１３を有する球受け部列１２がそれぞれ形成され、一方の球受け部列１２の各球受け部１３と他方の球受け部列１２の各球受け部１３とは３０°づつずれた状態でそれぞれ配列されている。両賞球放出部３ｃの上側通路壁４ａと、各球受け部１３の底面との間隔は１個の賞球Ｂの収容が可能となるように設定され、両賞球放出部３ｃの下側通路壁４ｂと各球受け部１３の底面との間隔は賞球の収容が不能となるように設定されている。払出しモータ９が起動して回転体１１が回転したときには両賞球給送路３ｂ内の賞球Ｂは回転体１１が６０°回転する毎に賞球給送路３ｂに連通された球受け部１３内へ１個づつ順次送り込まれて持上げられ、送出路３ｄ側へ送り出されて送出路３ｄ内へ転落し、送出口３ｅから放出される。回転体１１が１回転したときには両球受け部列１２からそれぞれ６個の賞球Ｂが放出されて合計１２個の賞球Ｂが賞球ケース１内から払出される。回転体１１が停止したときには一方の球受け部列１２の上部の３つの球受け部１３内に賞球Ｂがそれぞれ収容され、他力の球受け部列１２の上部の２つの球受け部１３内に賞球Ｂがそれぞれ収容された状態で保持される。両賞球通路３の両送出口３ｅの若干上方には両送出口３ｅ内を通過する賞球数をカウントして検出信号を前記中央指令装置へフィードバックするための近接センサ１４，１４が設置され、両近接センサ１４にそれぞれ開口された検出口は賞球通路３内に装入されている。」（第５頁第２０行−第８頁第９行）
　また、第１図には、その記載からみて、出力軸９ａに向かって賞球を導いていることが記載されているものと認められる。
　以上の記載によれば、引用例１には、
「回動可能に設けられた回転体１１と、回転体１１に賞球を供給する一対の賞球給送路３ｂと、回転体１１に設けられ、賞球給送路３ｂから供給される賞球を受ける複数の球受け部１３を有する一対の球受け部列１２，１２と、回転体１１を一対の球受け部列１２，１２の球受け部１３が互いに３０°ずれた状態で回動操作することに基づいて回転体１１の球受け部１３内から賞球を排出する払出しモータ９とを備え、賞球が出力軸９ａに向けて供給されている遊技機」との発明（以下、「引用発明１」という。）が開示されていると認めることができる。
　
（２）引用例２
　引用例２［特開平２−２４９５７０号公報］には、図面とともに、次の事項が記載されている。
「遊技盤に設けられた各種の入賞口に入賞した入賞球に応じて賞品球を排出するため、　パチンコ遊技機側に前記入賞口に入賞した入賞球を間歇的に送出する入賞球処理装置と、該入賞球処理装置が入賞球を送出したことを検知して検知信号を発する入賞球検知手段とを設け、遊技場において複数のパチンコ遊技機が列設される島台側に、前記入賞球処理装置へレディ信号を発すると共に、前記検知信号に応じた賞品球を計数して送出する補給装置を設けたことを特徴とするパチンコ遊技機の賞品球排出装置。」（特許請求の範囲）
「第７図は従来のパチンコ遊技機の裏面図である。第７図において、１はパチンコ遊技機の機枠、２１は遊技場においての複数のパチンコ遊技機が列設される島台である。島台２１の上部には賞品球を供給する補給機９１が設けられている。９２はパチンコ遊技機の上部に設けられた賞品球タンクである。賞品球タンク９２の下方には３条の球流路を有する誘導樋９３が形成され、その下流端には所定の賞品球を計数する賞品球計数ケース９４が設けられている。」（第１頁右欄第２−１１行）
「第３図は補給装置の概略構成図である。第３図において、２２は補給装置、２３は遊技場のパチンコ遊技機に賞品球を供給する分配管路である。補給装置２２は円周端部に球受け用の切欠部２６ａが形成され且つ切欠部２６ａの近傍に磁石２５が突設された円板２６と、円板２６を駆動するモータ２７と、円板２６の切欠部２６ａの近傍に突設された磁石２５の接近により接点が閉となる近接スイッチ２８と、各種の検知信号を受けてモータ２７の駆動やレディ信号の発信を制御する制御部２９とを含むものである。円板２６はモータ２９によって駆動され、時計方向に回転して賞品球を１球づつ送り出す。また、近接スイッチ２８は、切欠部２６ａによって送出される賞品球を、磁石２５の接近によって検知して信号を制御部２９に発する。」（第３頁右上欄第１１行−左下欄第６行）
　また、第３図には、その記載からみて、分配管路２３の出口の中心線が円板２６の軸に向かって延びており、円板２６の軸に向かって賞品球を落下させていること、円板２６は、回動中心線に直交する交差線が分配管路２６の中心線に略一致するように設けられていること、及び、円板２６の最上部で賞品球を受け止めていることが記載されているものと認められる。
　以上の記載によれば、引用例２には、「回転可能に設けられた円板２６と、前記円板２６に賞品球を分配管路２３と、前記円板２６に設けられ、前記分配通路２３から供給される賞品球を受ける切欠部２６ａと、前記円板２６を回転駆動して賞品球を１球ずつ送り出すモータ２７と、前記円板２６に突設された複数の磁石２５と、前記複数の磁石２５を検知する近接スイッチ２８とを備え、前記分配管路２３は、出口の幅方向の中心線が略鉛直方向に延びるように設けられ、前記円板２６は、回動中心線に直交する交差線が分配管路２６の中心線に略一致するように設けられている賞品球の補給装置」との発明（以下、「引用発明２」という。）が開示されているものと認められる。
　
３．本願発明と引用発明１との対比・判断
（１） 本願発明と引用発明１との対比
　本願発明と引用発明１とを対比すると、
　引用発明１の「賞球」「両賞球給送路３ｂ」「球受け部１３」「払出しモータ９」は、それぞれ本願発明の「パチンコ球」「第１の球供給通路および第２の球供給通路」「球受け凹部」「パチンコ球を排出する駆動手段」に相当するものと認められる。
　また、引用発明１の「回転体１１」と、本願発明の「第１の球受部材および第２の球受部材」とは、「球受部材」として共通する。
　そして、引用発明１の「回転体１１に設けられ、賞球給通路３ｂから供給される賞球を受ける複数の球受け部１３を有する一対の球受け部列１２，１２と、回転体１１を一対の球受け部列１２，１２の球受け部１３が互いに３０°ずれた状態で回動操作することに基づいて回転体１１の球受け部１３内から賞球を排出する」ことは、本願発明の「第１の球受部材および第２の球受部材に設けられ、第１の球供通路および第２の球供給通路から供給されるパチンコ球を受ける複数の球受凹部と、前記第１の球受部材および前記第２の球受部材を位相のずれ状態で回動操作することに基づいて前記第１の球受部材の球受凹部内および前記第２の球受部材の球受凹部内からパチンコ球を排出する」ことに対応する。
　そうすると、本願発明と引用発明１の両者は「回動可能に設けられた第１の球受部材および第２の球受部材と、前記第１の球受部材および前記第２の球受部材にパチンコ球を供給する第１の球供給通路および第２の球供給通路と、前記第１の球受部材および前記第２の球受部材に設けられ、前記第１の球供給通路および前記第２の球供給通路から供給されるパチンコ球を受ける複数の球受凹部と、前記第１の球受部材および前記第２の球受部材を位相のずれ状態で回動操作することに基づいて前記第１の球受部材の球受凹部内および前記第２の球受部材の球受凹部内からパチンコ球を排出する駆動手段とを備える遊技機」である点で一致し、
以下の点で相違しているものと認められる。
・ 相違点１
　本願発明は、第１の球受部材に設けられた複数の鉄片と、前記複数の鉄片を検出する反射形光センサとを備えているのに対し、引用発明１は、そのような構成を備えていない点。
・ 相違点２
　本願発明は、第１の球供給通路および第２の球供給通路の出口の幅方向の中心線が略鉛直方向に延びるように設けられ、第１の球受部材および第２の球受部材は、回動中心線に直交する交差線が第１の球供給通路および第２の球供給通路の中心線に略一致するように設けられているのに対し、引用発明１は、一対の賞球給送路３ｂ出口の幅方向の中心線が、傾斜して回転体１１の出力軸９ａの方向へ延びており、出力軸９ａに直交する交差線に略一致しているのか否か不明である点。
　
（２） 当審の判断
　そこで、上記相違点について検討する。
i. 相違点１について
　球受部材を駆動制御するために、センサにより球受部材の回動量を正確に把握することは、引用例２に、円板２６に突設された複数の磁石２５と前記複数の磁石２５を検知する近接スイッチ２８とを備えていることとして記載されているように、また、特開平３−２９６８２号公報（特に、４頁右下欄１５行−５頁左上欄９行及び第４図を参照）、特開昭６３−１６０６８６号公報（特に、１１頁右上欄１９行−左下欄１７行及び第１３図を参照）、及び、特開昭５３−１０９７４５号公報（特に、３頁右下欄７−１１行及び第２（ａ）図参照）等に、光センサの検出により光学式で球受部材の回動量を把握することして記載されているように、パチンコ機の分野において周知技術である。
　そして、一般的に、回転体の回動を検出する光センサとして、回転体に設けられた複数の反射部を検知する反射形光センサは、特開平１−２０１２９１号公報、実願昭５５−６６９９３号（実開昭５６−１６７２５６号）のマイクロフィルム、及び、特開昭６１−１６７８０６号公報等に記載されるように周知技術であるので、引用発明１の球受部材に複数の反射部を設け、該複数の反射部を検出する反射形光センサを設ける構成とすることは、パチンコ機の分野における前記周知技術を考慮して、前記一般的な周知技術を単に採用したにすぎないものであるので、当業者にとって格別な創意工夫を要したものとはいえない。
　また、反射部として鉄片を採用することに格別の技術的意義は認められず、当業者の設計的事項程度のことである。
　
ii. 相違点２について
　引用発明２は、分配管路２３は、出口の幅方向の中心線が略鉛直方向に延びるように設けられ、前記円板２６は、回動中心線に直交する交差線が分配管路２６の中心線に略一致するように設けられているものであり、当該構成を引用発明１に適用することは、引用発明１及び引用発明２がパチンコ球を送り出す装置に関するもので共通する以上、当業者にとって格別困難なことではない。
　
　そして、本願発明の奏する作用・効果は、適用された構成から当業者が予測し得る範囲内のものにすぎない。
　したがって、本願発明は、引用発明１、引用発明２及び周知技術に基づいて当業者が容易に発明をすることができたものである。
　
４．むすび
　以上のとおり、本願発明は、引用例１に記載された発明、引用例２に記載された発明、及び、周知技術に基づいて当業者が容易に発明をすることができたものであるので、特許法第２９条第２項の規定により特許を受けることができない。
　よって、結論のとおり審決する。